(57)【要約】【課題】  引込分岐端子箱内に設けられる二次側端子が複数の二次側電線と接続するのに、二次側端子と直接接続される導電体が二次側端子に対して相対変位して接触不良を起こすのを防止できる接続構造を提供する。【解決手段】  引込分岐端子箱１内に設けられる二次側端子３の接続構造において、導電性を有する複数の電線端子部材１１，…を備え、複数の電線端子部材１１，…が、重なり合った状態で収容部４に収容されると共に、二次側端子３に対して相対変位するのを防止すべく、収容部４及び押圧部５に内接して固定され、さらに、各電線端子部材１１に少なくとも一つの二次側電線２が接続されるようになっていることを特徴とする。【選択図】図２
2009093815.tif 000002
【特許請求の範囲】
【請求項１】
電柱に配置される柱上変圧器から配電される一次側電線が接続される一次側端子と、各需要家に向けて配電される複数の二次側電線がそれぞれ接続される複数の二次側端子とを備え、少なくとも二次側端子が、二次側電線の一端部を収容する収容部と、収容部との間に配置される二次側電線の一端部を収容部に向けて押圧して固定する押圧部とで構成される引込分岐端子箱の、二次側端子における接続構造において、導電性を有する複数の電線端子部材を備え、複数の電線端子部材が、重なり合った状態で収容部に収容されると共に、二次側端子に対して相対変位するのを防止すべく、収容部及び押圧部に内接して固定され、さらに、各電線端子部材に少なくとも一つの二次側電線が接続されるようになっていることを特徴とする接続構造。
【請求項２】
電柱に配置される柱上変圧器から配電される一次側電線が接続される一次側端子と、各需要家に向けて配電される複数の二次側電線がそれぞれ接続される複数の二次側端子とを備え、少なくとも二次側端子が、二次側電線の一端部を収容する収容部と、収容部との間に配置される二次側電線の一端部を収容部に向けて押圧して固定する押圧部とで構成される引込分岐端子箱の、二次側端子における接続構造において、導電性を有する電線端子部材を備え、電線端子部材が、収容部に収容されると共に、二次側端子に対して相対変位するのを防止すべく、収容部及び押圧部に内接して固定され、さらに、電線端子部材に複数の二次側電線が接続されるようになっていることを特徴とする接続構造。
【請求項３】
電柱に配置される柱上変圧器から配電される一次側電線が接続される一次側端子と、各需要家に向けて配電される複数の二次側電線がそれぞれ接続される複数の二次側端子とを備え、少なくとも二次側端子が、二次側電線の一端部を収容する収容部と、収容部との間に配置される二次側電線の一端部を収容部に向けて押圧して固定する押圧部とで構成される引込分岐端子箱の、二次側端子における接続構造において、導電性を有する電線端子部材を備え、二次側端子に直接接続される二次側電線の一端部及び電線端子部材が、重なり合った状態で収容部に収容されると共に、二次側端子に対して相対変位するのを防止すべく、収容部及び押圧部に内接して固定され、さらに、電線端子部材に少なくとも一つの二次側電線が接続されるようになっていることを特徴とする接続構造。
【請求項４】
複数の電線端子部材は、押圧部が押圧する方向に重なり合って配置される請求項１に記載の接続構造。
【請求項５】
複数の電線端子部材は、それぞれが隣接する電線端子部材と嵌合可能に構成される請求項１又は４に記載の接続構造。
【発明の詳細な説明】
【技術分野】
【０００１】
本発明は、電柱に配置される柱上変圧器から配電される一次側電線が接続される一次側端子と、各需要家に向けて配電される複数の二次側電線がそれぞれ接続される複数の二次側端子とを備える引込分岐端子箱の二次側端子における接続構造に関する。
【背景技術】
【０００２】
従来、図１１に示すように、電柱に配電される高圧送電線から複数の需要家に電力供給すべく、高圧送電線から電柱に配電される柱上変圧器１００から配電される電源側電線としての一次側電線１０１（「引下用分岐電線」ともいう）が、引込分岐端子箱１を介して、各需要家に向けて配電される負荷側電線としての複数の二次側電線２，…（「引込線」ともいう）と電気的に接続（通電）される。引込分岐端子箱１は、図１２及び図１３に示すように、一次側電線１０１が接続される一次側端子１０２（図１２において一番下の端子）と、複数の二次側電線２，…（図１２及び図１３において異なる電線サイズの二次側電線２，…を図示している）がそれぞれ接続される複数の二次側端子３，…（図１２において上から四つ分の端子）とを備える。
【０００３】
そして、複数の二次側端子３がそれぞれ一次側端子１０２と電気的に接続（通電）可能に構成されているため、一次側端子１０２に接続される一次側電線１０１は、複数の二次側端子３，…にそれぞれ接続される二次側電線２，…と電気的に接続可能に構成される。また、少なくとも二次側端子３は、二次側電線２の一端部２ａを収容する収容部４と、収容部４との間に配置される二次側電線２の一端部２ａを収容部４に向けて押圧して固定する押圧部５とで構成される。したがって、二次側端子３は、二次側電線２の一端部２ａ、即ち、被覆（絶縁部）を剥がして剥き出しとなった導電体（導電部）が直接接続するのに適している。なお、一次側端子１０２についても、略同一の構成としている。
【発明の開示】
【発明が解決しようとする課題】
【０００４】
しかしながら、二次側端子３は、複数の二次側電線２，…、特に、電線サイズが異なる複数の二次側電線２，…が直接接続するのに不適である。例えば、一つの二次側端子３（図１２において上から三番目の二次側端子３）が、電線サイズが異なる二つの二次側電線２，２と直接接続する場合、図１３に示すように、電線サイズが大きい方の二次側電線２の一端部２ａが、収容部４及び押圧部５に対して相対変位しない程度に固定されているのに対して、電線サイズが小さい方の二次側電線２の一端部２ａは、収容部４及び押圧部５と内接しているが、確実に固定されないことがある（あるいは、収容部４や押圧部５と内接していないこともある）。
【０００５】
かかる場合、二次側電線２が風や雨などにより振動すると、電線サイズが小さい方の二次側電線２の一端部２ａが、二次側端子３（収容部４及び押圧部５）に対して相対変位（振動、揺動、回動）することにより、二次側電線２の一端部２ａや収容部４といった導電体（通電部）同士の接触する部位が変化する（一定に維持できない）。したがって、導電体同士の接触する部位が変化するため、導電体同士の接触不良が発生し、かかる二次側電線２で配電される需要家を停電させてしまうことがある。
【０００６】
よって、本発明は、かかる事情に鑑み、引込分岐端子箱内に設けられる二次側端子が複数の二次側電線と接続するのに、二次側端子と直接接続される導電体が二次側端子に対して相対変位して接触不良を起こすのを防止できる接続構造を提供することを課題とする。
【課題を解決するための手段】
【０００７】
本発明にかかる接続構造は、電柱に配置される柱上変圧器から配電される一次側電線が接続される一次側端子と、各需要家に向けて配電される複数の二次側電線がそれぞれ接続される複数の二次側端子とを備え、少なくとも二次側端子が、二次側電線の一端部を収容する収容部と、収容部との間に配置される二次側電線の一端部を収容部に向けて押圧して固定する押圧部とで構成される引込分岐端子箱の、二次側端子における接続構造において、導電性を有する複数の電線端子部材を備え、複数の電線端子部材が、重なり合った状態で収容部に収容されると共に、二次側端子に対して相対変位するのを防止すべく、収容部及び押圧部に内接して固定され、さらに、各電線端子部材に少なくとも一つの二次側電線が接続されるようになっていることを特徴とする。
【０００８】
本発明によれば、導電性を有する複数の電線端子部材が、重なり合った状態で収容部に収容されるため、押圧部に押圧されると、収容部及び押圧部に内接して固定される。それにより、複数の電線端子部材が二次側端子に対して相対変位するのを防止できる。さらに、各電線端子部材に少なくとも一つの二次側電線が接続されるようになっているため、接続されると、複数の二次側電線が何れかの電線端子部材を介して一つの二次側端子と接続できる。
【０００９】
本発明にかかる接続構造は、電柱に配置される柱上変圧器から配電される一次側電線が接続される一次側端子と、各需要家に向けて配電される複数の二次側電線がそれぞれ接続される複数の二次側端子とを備え、少なくとも二次側端子が、二次側電線の一端部を収容する収容部と、収容部との間に配置される二次側電線の一端部を収容部に向けて押圧して固定する押圧部とで構成される引込分岐端子箱の、二次側端子における接続構造において、導電性を有する電線端子部材を備え、電線端子部材が、収容部に収容されると共に、二次側端子に対して相対変位するのを防止すべく、収容部及び押圧部に内接して固定され、さらに、電線端子部材に複数の二次側電線が接続されるようになっていることを特徴とする。
【００１０】
本発明によれば、導電性を有する電線端子部材が収容部に収容され、押圧部に押圧されると、収容部及び押圧部に内接して固定される。それにより、電線端子部材が二次側端子に対して相対変位するのを防止できる。さらに、電線端子部材に複数の二次側電線が接続されるようになっているため、接続されると、複数の二次側電線が電線端子部材を介して一つの二次側端子と接続できる。
【００１１】
本発明にかかる接続構造は、電柱に配置される柱上変圧器から配電される一次側電線が接続される一次側端子と、各需要家に向けて配電される複数の二次側電線がそれぞれ接続される複数の二次側端子とを備え、少なくとも二次側端子が、二次側電線の一端部を収容する収容部と、収容部との間に配置される二次側電線の一端部を収容部に向けて押圧して固定する押圧部とで構成される引込分岐端子箱の、二次側端子における接続構造において、導電性を有する電線端子部材を備え、二次側端子に直接接続される二次側電線の一端部及び電線端子部材が、重なり合った状態で収容部に収容されると共に、二次側端子に対して相対変位するのを防止すべく、収容部及び押圧部に内接して固定され、さらに、電線端子部材に少なくとも一つの二次側電線が接続されるようになっていることを特徴とする。
【００１２】
本発明によれば、二次側端子に直接接続される二次側電線の一端部及び導電性を有する電線端子部材が、重なり合って収容部に収容されるため、押圧部に押圧されると、収容部及び押圧部に内接して固定される。それにより、二次側端子に直接接続される二次側電線の一端部及び電線端子部材が、二次側端子に対して相対変位するのを防止できる。さらに、電線端子部材に少なくとも一つの二次側電線が接続されるようになっているため、接続されると、複数の二次側電線が直接又は電線端子部材を介して一つの二次側端子と接続できる。
【００１３】
本発明にかかる接続構造においては、複数の電線端子部材は、押圧部が押圧する方向に重なり合って配置されてもよい。かかる構成によれば、複数の電線端子部材が重なり合って配置される方向に押圧部で押圧されるため、例えば、電線端子部材、即ち、二次側端子と直接接続される導電体の全てが収容部及び押圧部と内接しない状態でも、全ての導電体が二次側端子に対して相対変位するのを防止できる。
【００１４】
本発明にかかる接続構造においては、複数の電線端子部材は、それぞれが隣接する電線端子部材と嵌合可能な構成を採用してもよい。かかる構成によれば、電線端子部材が隣接して配置される他の電線端子部材と嵌合するため、嵌合される状態で固定されることで、電線端子部材同士が相対変位するのを確実に防止できる。
【発明の効果】
【００１５】
したがって、引込分岐端子箱内に設けられる二次側端子が複数の二次側電線と接続するのに、一つの二次側端子と接続される複数の二次側電線のうち少なくとも一つが電線端子部材を介して接続されるため、二次側端子と直接接続される導電体が二次側端子に対して相対変位して接触不良を起こすのを防止できるという優れた効果を奏する。
【発明を実施するための最良の形態】
【００１６】
以下、本発明にかかる接続構造における第１の実施形態について、図１〜図３を参酌して説明する。なお、図１〜図３において、図１１〜図１３の符号と同一の符号を付した部分は、従来技術と同一の構成又は要素を表す。
【００１７】
本実施形態にかかる接続構造は、図１〜図３に示すように、引込分岐端子箱１内に設けられ、複数の二次側電線２，…がそれぞれ接続される複数の二次側端子３，…と、一つの二次側端子３（図２において上から三番目の二次側端子３）に接続される一対の分岐電線具６，６とを備える。引込分岐端子箱１は、一次側端子１０２及び二次側端子３に対応する部位に開口部が設けられる箱本体と、開口部を閉塞させる蓋体とを備え、箱本体は、一次側端子１０２及び二次側端子３に対応する部位（側面部）に、一次側電線１０１や二次側電線２が挿通可能な複数の孔を備える。
【００１８】
二次側端子３は、一対の分岐電線具６，６の一部を収容する収容部４と、収容部４との間に配置される一対の分岐電線具６，６の一部を収容部に向けて押圧して固定する押圧部５とを備える。また、複数の二次側端子３，…は、それぞれが一次側電線１０１に接続される一次側端子１０２と電気的に接続（通電）されている。
【００１９】
収容部４は、長尺な溝状に形成される。具体的には、収容部４は、幅方向の中央部が幅方向の両端部より溝の深さが深くなるように形成される。より具体的には、収容部４は、引込分岐端子箱１内に設けられる導電体に、幅方向の断面が略Ｖ字状、又は略Ｕ字状となるような溝を設けることにより形成される。なお、一次側端子１０２における一次側電線１０１を収容する収容部及び二次側端子３の収容部４が共通の導電体に溝を設けて形成されるため、導電体である全ての収容部、即ち、一次側端子１０２と複数の二次側端子３，…は、相互に電気的に接続（通電）されている。
【００２０】
押圧部５は、引込分岐端子箱１内に固定され、且つ螺子孔を有する螺子受部材７と、螺子受部材７の螺子孔と螺合可能な部位を有する螺子部材８と、螺子受部材７及び螺子部材８の螺合により収容部４に向けて変位（接離）可能であって、且つ収容部４に収容される分岐電線具６の一部と当接可能な当接部材９とを備えて構成される。具体的には、押圧部５は、螺子受部材７及び螺子部材８の螺合により、螺子部材８が当接部材９を付勢して収容部４側に変位させ、それにより、当接部材９が収容部４との間に配置される分岐電線具６の一部を収容部４とで押圧するように構成される。なお、螺子部材８及び当接部材９間には、螺子受部材７及び螺子部材８による締結を維持すべく、緩み防止のための弾性体１０が設けられる。
【００２１】
当接部材９は、長尺な溝状である収容部４における長手方向と直交し（押圧する方向と略平行で）、且つ互いに略平行に並設される一対の壁部と、二つの壁部を連結する連結部を備え、壁部は、それぞれの先端部で分岐電線具６の一部と当接し、連結部は、略中央部に設けられる孔が螺子部材８に挿通される。具体的には、当接部材９は、収容部４の長手方向における断面形状が、略コ字状（略Ｃ字状）に形成される。また、当接部材９は、分岐電線具６と当接する壁部の先端部が収容部４に挿入（収容）可能に構成される。具体的には、当接部材９は、壁部の幅寸法が収容部４の幅寸法と略同一又はやや小さく形成される。
【００２２】
分岐電線具６は、導電性を有する電線端子部材１１を備え、電線端子部材１１に（少なくとも）一つの二次側電線２が接続されるようになっている。具体的には、分岐電線具６は、二次側端子３（収容部４）から突出する電線端子部材１１の部分に少なくとも一つの二次側電線２が接続されるようになっている。即ち、分岐電線具６は、二次側電線２の一端部２ａと接続可能な接続部１２を備える。具体的には、分岐電線６は、一端部が接続部１２となる接続電線１３を備え、接続電線１３の他端部が電線端子部材１１と接続して構成される。
【００２３】
一対（複数）の電線端子部材１１，１１は、重なり合った状態で収容部４に収容される。具体的には、一対（複数）の電線端子部材１１，１１のそれぞれ一部が、重なり合った状態で収容部４に収容される。より具体的には、一対（複数）の電線端子部材１１，１１は、押圧部５が押圧する方向に重なり合って配置される。また、一対（複数）の電線端子部材１１，１１は、二次側端子３（収容部４及び押圧部５）に対して相対変位するのを防止すべく、収容部４及び押圧部５に内接して固定される。
【００２４】
また、一対の電線端子部材１１，１１は、押圧されると圧縮又は変形可能な導電体（例えば銅等の金属）で形成され、互いに重なり合った状態で、二次側電線２の一端部２ａである導電体（外周が絶縁部で被覆されている導電部）と略同様な形状、即ち、略円柱状となるように形成される。即ち、一対の電線端子部材１１，１１は、略円柱状を複数（二つ）に分割した形状である。具体的には、一対の電線端子部材１１，１１は、重なり合って配置される部位の断面が略半円形状に形成される。そして、電線端子部材１１は、幅寸法が収容部４の幅寸法と略同一又はやや小さく形成される。また、電線端子部材１１は、接続電線１３を接続すべく、端部に筒部を備え、筒部が接続電線１３の他端部である導電体に挿入される状態でかしめ処理（圧縮）されることにより、接続電線１３が固定（接続）されている。
【００２５】
接続電線１３は、接続部１２に接続される全ての二次側電線２，…のサイズに対して対応可能とすべく、接続される二次側電線２の最大サイズ以上としている。例えば、接続される二次側電線２が２．６ｍｍ（導電体直径２．６ミリメートル）〜２２ｍｍ2 （導電体断面積２２平方ミリメートル）である場合、接続電線１３は、経済的な面を考慮して、二次側電線２の最大サイズである２２ｍｍ2 としている。
【００２６】
また、接続部１２、即ち、接続電線１３の一端部は、絶縁されるべく、接続電線１３の一端部の導電体を被覆可能な絶縁体のカバー部材１４が取り付けられている。また、カバー部材１４は、二次側電線２が接続部１２と接続した部位（導電体）を絶縁処理可能に構成される。例えば、カバー部材１４は、伸縮可能に構成され、さらに、加熱されることにより縮小すると共に、硬化するように構成される。
【００２７】
本実施形態にかかる接続構造の構成は以上の通りであり、次に、本実施形態にかかる接続構造が導電体の接触不良を防止する作用について説明する。
【００２８】
まず、一方の分岐電線具６の電線端子部材１１を引込分岐端子箱１における一方の側面部の孔から挿入し、他方の分岐電線具６の電線端子部材１１を引込分岐端子箱１における他方の側面部の孔から挿入する。そして、溝状に形成される収容部４に、幅寸法が略同一である一対の電線端子部材１１，１１を嵌め込むようにして収容する。具体的には、押圧部５が押圧する方向に、一対の電線端子部材１１，１１のそれぞれの一部を積層させて配置させる。
【００２９】
そして、螺子受部材７及び螺子部材８を螺合させ、当接部材９を収容部４側に変位させると、当接部材９が収容部４に収容される電線端子部材１１と当接する。さらに、螺子受部材７及び螺子部材８の螺合を続けると、一対の電線端子部材１１，１１が重なり合って配置される方向に押圧部で押圧される。そして、一対の電線端子部材１１，１１が、重なり合った状態で収容部４に収容されているため、押圧部５に押圧されると、収容部４及び押圧部５に内接して固定される。
【００３０】
具体的には、一対の電線端子部材１１，１１が変形可能であるため、一方の電線端子部材１１は、他方の電線端子部材１１及び収容部４と内接すると共に、収容部４と内接する円弧状の部位が収容部４に対応して接触する部位を拡げる（接触面を形成する）ように変形し、さらに、他方の電線端子部材１１は、一方の電線端子部材１１及び押圧部５と内接すると共に、押圧部５と内接する円弧状の部位が押圧部５に対応して接触する部位を拡げる（接触面を形成する）ように変形する。したがって、一対の電線端子部材１１，１１は、二次側端子３（収容部４）内で揺動や摺動や回動といった変位を完全に規制された状態（密着した状態）で固定されるため、二次側端子３（収容部４及び押圧部５）に対して相対変位するのが防止される。
【００３１】
そして、分岐電線具６の接続部１２を覆うカバー部材１４の一部を切断し、接続部１２に二次側電線２の一端部２ａを接続させる。具体的には、絶縁被覆を剥がした（または、剥がしてある）接続電線１３の他端部の導電体と、二次側電線２の一端部２ａの導電体とを接続部材（圧縮スリーブ）１５で接続する。そして、導電体が剥き出しとなる接続部位にカバー部材１４を移動させて被覆し、その後カバー部材１４を加熱すると、カバー部材１４が収縮及び硬化することで接続部位が絶縁処理される。したがって、収容部４から突出する各電線端子部材１１の部分に二次側電線２，２が接続電線１３を介して接続されるため、二つ（複数）の二次側電線２，２が一対の電線端子部材１１，１１を介して一つの二次側端子３と接続できる。
【００３２】
以上より、本実施形態にかかる接続構造は、押圧部５が収容部４との間に配置される一対の電線端子部材１１，１１を収容部４に向けて押圧して固定するため、複数の二次側電線２，２が、確実に固定される一対の電線端子部材１１，１１を介して一つの二次側端子３と接続できる。したがって、一つの二次側端子３が複数（二つ）の二次側電線２，２と接続するのに、二次側端子３と直接接続される導電体（導電部）、即ち、一対の電線端子部材１１，１１が二次側端子３に対して相対変位して接触不良を起こすのを防止できる。
【００３３】
また、本実施形態にかかる接続構造は、収容部４に収容される一対の電線端子部材１１，１１が重なり合って配置される方向に押圧されるため、一方の電線端子部材１１は、押圧部４及び他方の電線端子部材１１に内接して固定され、他方の電線端子部材１１は、一方の電線端子部材１１及び押圧部５に内接して固定される。したがって、例えば、収容部４の幅方向（押圧される方向に対して直交する方向）に重なり合った状態で収容させる場合、複数の電線端子部材１１，１１は、それぞれが収容部４及び押圧部５に内接して固定されるべく、押圧される方向の寸法を略同一にする必要があるのに対して、押圧される方向に重なり合った状態で収容される場合は、押圧される方向の寸法を略同一にする必要がなく、電線端子部材１１の形状をフレキシブルに対応することができる。
【００３４】
次に、本発明にかかる接続構造における第２の実施形態について、図４〜図６を参酌して説明する。なお、図４〜図６において、図１〜図３の符号と同一の符号を付した部分は、第１実施形態と同一の構成又は要素を表す。
【００３５】
本実施形態にかかる接続構造は、図４〜図６に示すように、第１実施形態にかかる接続構造に対して、分岐電線具２０の構成が異なり、その他が略同一である。分岐電線具２０は、導電性を有する電線端子部材２１を備え、電線端子部材２１が、収容部４に収容されると共に、二次側端子３に対して相対変位するのを防止すべく、収容部４及び押圧部５に内接して固定され、さらに、電線端子部材２１に二つ（複数）の二次側電線２，２が接続されるようになっている。具体的には、分岐電線具２０は、電線端子部材２１の一部が、収容部４に収容されると共に、二次側端子３に対して相対変位するのを防止すべく、収容部４及び押圧部５に内接して固定され、さらに、二次側端子３（収容部４）から突出する電線端子部材２１の部分に二つ（複数）の二次側電線２，２が接続されるようになっている。
【００３６】
より具体的には、分岐電線具２０は、長尺に形成され、長手方向の中央部に電線端子部材２１と、長手方向の両端部にそれぞれ二次側電線２と接続可能な接続部２２，２２とが設けられる。さらに具体的には、分岐電線２０は、長尺な電線端子部材２１と、一端部が接続部２２となる一対の接続電線２３，２３とを備え、一方の接続電線２３の他端部が電線端子部材２１の一端部と、他方の接続電線２３の他端部が電線端子部材２１の他端部と接続して構成される。また、分岐電線具２０は、幅寸法が収容部４の幅寸法より小さくなるように形成される。
【００３７】
電線端子部材２１は、二次側電線２の一端部２ａである導電体（内芯の導電部）と略同様な形状、即ち、略円柱形状であって、幅寸法が収容部４の幅寸法と略同一又はやや小さく形成される。また、接続電線２３の径寸法は、電線端子部材２１の径寸法より小さく形成される。即ち、分岐電線具２０において、電線端子部材２１の部位が、幅寸法が最大となるように形成されている。つまり、本実施形態にかかる分岐電線具２０は、幅寸法が収容部４の幅寸法より小さくなるべく（電線端子部材２１の部位で最大になるべく）、第１実施形態にかかる分岐電線具６のように、カバー部材１４が設けられていない。なお、分岐電線具２０の幅寸法が収容部４の幅寸法より小さく（電線端子部材２１の部位で最大と）なり得る場合は、カバー部材１４を設けてもよい。
【００３８】
本実施形態にかかる接続構造の構成は以上の通りであり、次に、本実施形態にかかる接続構造が導電体の接触不良を防止する作用について説明する。
【００３９】
まず、収容部４に電線端子部２１が配置されるように、分岐電線具２０を引込端子箱１に挿通させる。具体的には、分岐電線具２０において幅寸法が最大である電線端子部材２１に対して、収容部４の幅寸法の方がやや大きい（略同一である）ため、分岐電線具２０の一端部を、引込分岐端子箱１における一方の側面部の孔から挿入し、そして、収容部４内を経由して、さらに、引込分岐端子箱１における他方の側面部の孔から一端部を取り出す。これにより、溝状に形成される収容部４に、幅寸法がやや小さい（略同一である）分岐電線具２０の電線端子部材２１が嵌め込むようにして収容できる。
【００４０】
そして、螺子受部材７及び螺子部材８を螺合させると、収容部４に収容される電線端子部材２１の一部が押圧部５に押圧され、収容部４及び押圧部５に内接して固定される。それにより、電線端子部材２１が二次側端子３に対して相対変位するのを防止できる。具体的には、電線端子部材２１は、押圧部５（当接部材９）及び収容部４と内接する部位が双方の表面形状に対応して、密着するように変形し、収容部４内で揺動や摺動や回動といった変位を完全に規制された状態で固定される。
【００４１】
そして、両接続部２２，２２に電線サイズの異なる二次側電線２，２の一端部２ａ，２ａをそれぞれ接続して、接続部位（導電体）を被覆して絶縁処理すると、二次側端子３から突出する電線端子部材２１の部分に二つ（複数）の二次側電線２，２が接続電線２２を介して接続される。したがって、二つ（複数）の二次側電線２，２は、電線端子部材２１を介して一つの二次側端子３と接続できる。
【００４２】
以上より、本実施形態にかかる接続構造は、押圧部５が収容部４との間に配置される電線端子部材２１を収容部４側に向けて押圧することにより電線端子部材２１を固定するため、複数の二次側電線２，２が確実に固定される電線端子部材２１を介して一つの二次側端子３と接続できる。したがって、一つの二次側端子３が複数（二つ）の二次側電線２，２と接続するのに、二次側端子３と直接接続される導電体（導電部）、即ち、一つ電線端子部材２１が二次側端子３に対して相対変位して接触不良を起こすのを防止できる。
【００４３】
次に、本発明にかかる接続構造における第３の実施形態について、図７〜図９を参酌して説明する。なお、図７〜図９において、図１〜図３の符号と同一の符号を付した部分は、第１実施形態と同一の構成又は要素を表す。
【００４４】
本実施形態にかかる接続構造は、図７〜図９に示すように、第１実施形態にかかる接続構造に対して、分岐電線具３０の構成と、一つの二次側電線２の一端部２ａが二次側端子３に直接接続される構成とが異なり、その他が略同一である。分岐電線具３０は、導電性を有する電線端子部材３１を備え、二次側端子３に直接接続される二次側電線２の一端部２ａ及び電線端子部材３１が、重なり合った状態で収容部４に収容されると共に、二次側端子３に対して相対変位するのを防止すべく、収容部４及び押圧部５に内接して固定され、さらに、電線端子部材３１に（少なくとも）一つの二次側電線２が接続されるようになっている。
【００４５】
具体的には、分岐電線具３０は、二次側端子３に直接接続される二次側電線２の一端部２ａ及び電線端子部材３１の一部が、重なり合った状態で収容部４に収容されると共に、二次側端子３に対して相対変位するのを防止すべく、収容部４及び押圧部５に内接し固定され、さらに、二次側端子３（収容部４）から突出する電線端子部材３１の部分に（少なくとも）一つの二次側電線２が接続されるようになっている。
【００４６】
また、二次側端子３に直接接続される二次側電線２の一端部２ａ及び電線端子部材３１は、押圧部４が押圧する方向に重なり合って配置される。そして、分岐電線具３０は、一端部に電線端子部材３１が設けられ、他端部に二次側電線２の一端部２ａと接続可能な接続部３２が設けられる。具体的には、分岐電線具３０は、一端部が接続部３２となる接続電線３３を備え、接続電線３３の他端部が電線端子部材３１と接続して構成される。
【００４７】
電線端子部材３１は、押圧されると圧縮又は変形可能な導電体であって、収容部４に収容される先端部が平板状に形成される。さらに、電線端子部材３１は、幅寸法が収容部４の幅寸法と略同一又はやや小さく形成される。また、接続部３２、即ち、接続電線３３の一端部は、絶縁状態を維持すべく、接続電線３３の一端部を被覆可能な絶縁体のカバー部材３４が取り付けられる。
【００４８】
本実施形態にかかる接続構造の構成は以上の通りであり、次に、本実施形態にかかる接続構造が導電体の接触不良を防止する作用について説明する。
【００４９】
まず、溝状に形成される収容部４に、二次側端子３に直接接続される二次側電線２の一端部２ａ及び収容部４と幅寸法が略同一である分岐電線具の電線端子部材３１を嵌め込むようにして収容させる。具体的には、二次側電線２の一端部２ａ及び電線端子部材３１の一部は、収容部内４で押圧部５が押圧する方向に重なり合って配置される。より具体的には、収容部４側に二次側電線２の一端部２ａが配置され、押圧部５側に電線端子部材３１が配置される。
【００５０】
そして、螺子受部材７及び螺子部材８を螺合させ、押圧部５を収容部４側に変位させると、収容部４との間に配置される二次側電線２の一端部２ａ及び電線端子部材３１は、押圧部５が重なり合って配置される方向に押圧することにより、収容部４及び押圧部５に内接して固定されるため、二次側端子３（収容部４及び押圧部５）に対して相対変位するのが防止できる。具体的には、二次側電線２の一端部２ａ（導電体）及び電線端子部材３１は、押圧されると変形可能であるため、二次側電線２の一端部２ａは、内接する電線端子部材３１及び収容部４に対応して変形し、さらに、電線端子部材３１は、内接する二次側電線２の一端部２ａ及び押圧部５に対応して変形する。
【００５１】
したがって、二次側電線２の一端部２ａ及び電線端子部材３１は、二次側端子３（収容部４）内で揺動や摺動や回動といった変位を完全に規制された状態（密着した状態）で固定される。そして、分岐電線具３０の接続部３２に他の二次側電線２の一端部２ａを接続させると、二次側端子３から突出する電線端子部材３１の部分に接続電線３２を介して一つの二次側電線２が接続される。したがって、一つの二次側端子３と接続される二つ（複数）の二次側電線のうち一つが電線端子部材３１を介して接続される。
【００５２】
以上より、本実施形態にかかる接続構造は、押圧部５が収容部４との間に配置される二次側電線２の一端部２ａ及び電線端子部材３１を収容部４側に向けて押圧するため、二次側端子３に直接接続される二次側電線２の一端部２ａや他の二次側電線２の一端部２ａに接続される電線端子部材３１といった導電体が確実に固定された状態で、一つの二次側端子３が複数の二次側電線２，２と接続できる。したがって、一つの二次側端子３と接続される二つ（複数）の二次側電線２，２のうち一つが電線端子部材３１を介して接続されるため、二次側端子３と直接接続される導電体（二次側端子３に直接接続される二次側電線２の一端部２ａ及び電線端子部材３１）が二次側端子３に対して相対変位して接触不良を起こすのを防止できる
【００５３】
また、本実施形態にかかる接続構造は、収容部４に収容される二次側電線２の一端部２ａ及び電線端子部材３１が重なり合って配置される方向に押圧されるため、例えば、収容部４に収容される二次側電線２の一端部２ａや電線端子部材３１といった複数の導電体が、互いに相対変位するのを規制すべく、より確実に固定できる。
【００５４】
なお、本発明の接続構造は、上記した実施の形態に限定されるものではなく、本発明の要旨を逸脱しない範囲内において種々変更を加え得ることは勿論である。
【００５５】
例えば、本発明にかかる接続構造においては、複数の電線端子部材は、それぞれが隣接する電線端子部材と嵌合可能な構成されてもよく、電線端子部材は、隣接する二次側電線の一端部及び隣接する他の電線端子部材の少なくとも何れか一方と嵌合可能に構成されてもよい。かかる構成によれば、電線端子部材は、二次側電線の一端部や他の電線端子部材といった隣接される他の導電体と相対変位するのを確実に規制でき、さらに、導電体同士の接触面積を大きくすることもできる。例えば、図１０に示すように、凹凸部が設けられる第１電線端子部材４０と、第１電線端子部材４０の凹凸部に嵌合可能な凹凸部が設けられる第２電線端子部材４１とを備えてもよい。
【００５６】
なお、図１０に示す一対の電線端子部材４０，４１は、電線端子部材４０，４１の長手方向に相対変位するのを規制可能に構成されているが、さらに、電線端子部材の幅方向に相対変位するのを規制可能に構成されていてもよく、また、電線端子部材の長手方向及び幅方向に相対変位するのを規制可能に構成されていてもよい。例えば、第１電線端子部材に凸部を設け、第２電線端子部材に第１電線端子部材の凸部に嵌合可能な孔部を設けることにより、第１電線端子部材及び第２電線端子部材が、前記凸部及び前記孔部が挿脱する方向と直交方向に相対変位するのを規制可能に構成されてもよい。
【００５７】
また、上記第１及び第３実施形態にかかる接続構造においては、収容部４に収容される一対の電線端子部材１１，１１、又は、二次側電線２の一端部２ａと電線端子部材３１とが、押圧部５が押圧する方向に重なり合って配置される場合を説明したが、かかる場合に限られず、押圧部５が押圧する方向に対して直交する方向に重なり合って配置される場合でもよい。しかしながら、かかる場合、例えば、電線端子部材や二次側電線２の一端部２ａといった収容部４に収容される導電体が、押圧部５が押圧する方向の幅寸法を略同一にすることで、互いの導電体が、重なり合った状態で収容部４に収容されると共に、二次側端子３に対して相対変位するのを防止すべく、収容部４及び押圧部５に内接して固定される必要がある。
【００５８】
また、上記実施形態にかかる接続構造においては、収容部４に収容される導電体（二次側電線２の一端部２ａや電線端子部材１１，２１，３１）が一つ又は二つの場合を説明したが、かかる場合に限られず、収容部４に収容される導電体が三つ以上の場合でもよい。しかしながら、収容部４に収容される導電体が二次側端子３に対して相対変位するのを規制すべく、収容部４に収容される導電体を一つ又は二つとするのが好ましく、あるいは、収容部４に収容される三つ以上の導電体を互いに嵌合可能に構成するのが好ましい。
【００５９】
また、上記実施形態にかかる接続構造においては、分岐電線具６，２０，３０、即ち、電線端子部材１１，２１，３１に接続電線１３，２３，３３が接続される場合を説明したが、接続電線１３，２３，３３は必須の構成ではない。したがって、電線端子部材１１，２１，３１に二次側電線２の一端部２ａが直接接続される場合でもよい。
【００６０】
また、上記実施形態にかかる接続構造においては、一つの電線端子部材１１，２１，３１に一つ又は二つの二次側電線２が接続される場合を説明したが、かかる場合に限られず、一つの電線端子部材に三つ以上の二次側電線２，…が接続される場合でもよい。即ち、一つの電線端子部材を介して三つ以上の二次側電線２，…が二次側端子３に接続される場合でもよい。例えば、分岐電線具は、一つの電線端子部材に一端部が接続部となる三つ以上の接続電線の他端部がそれぞれ接続され、各接続部に二次側電線２が接続可能に構成されてもよい。
【００６１】
また、上記実施形態にかかる接続構造においては、分岐電線具６，２０，３０に二次側電線２が接続される場合を説明したが、かかる場合に限られず、二次側電線２が将来的に接続されるための予備の接続部１２，２２，３２を設けるべく、二次側電線２を接続せず、カバー部材１４，３４等で絶縁処理した状態で保存（維持）させておく場合でもよい。
【図面の簡単な説明】
【００６２】
【図１】本発明の一実施形態にかかる接続構造における分岐電線具の全体図であって、（ａ）は斜視図、（ｂ）は一部が横断面である正面図を示す。
【図２】同実施形態にかかる接続構造の全体図であって、（ａ）は正面図、（ｂ）は（ａ）のＡ−Ａ線における拡大断面図を示す。
【図３】同実施形態にかかる接続構造の全体図であって、（ａ）は図２（ａ）のＢ−Ｂ線における断面図、（ｂ）は（ａ）のＣ領域における拡大図を示す。
【図４】本発明の他の実施形態にかかる接続構造における分岐電線具の全体図であって、（ａ）は斜視図、（ｂ）は一部が横断面である正面図を示す。
【図５】同実施形態にかかる接続構造の全体図であって、（ａ）は正面図、（ｂ）は（ａ）のＤ−Ｄ線における拡大断面図を示す。
【図６】同実施形態にかかる接続構造の全体図であって、（ａ）は図５（ａ）のＥ−Ｅ線における断面図、（ｂ）は（ａ）のＦ領域における拡大図を示す。
【図７】本発明のさらに他の実施形態にかかる接続構造における分岐電線具の全体図であって、（ａ）は斜視図、（ｂ）は一部が横断面である正面図を示す。
【図８】同実施形態にかかる接続構造の全体図であって、（ａ）は正面図、（ｂ）は（ａ）のＧ−Ｇ線における拡大断面図を示す。
【図９】同実施形態にかかる接続構造の全体図であって、（ａ）は図８のＨ−Ｈ線における断面図、（ｂ）は（ａ）のＩ領域における拡大図を示す。
【図１０】本発明のさらに他の実施形態にかかる接続構造における分岐電線具の全体図であって、（ａ）は斜視図、（ｂ）は一部が横断面である正面図を示す。
【図１１】従来における接続構造で接続される引込分岐端子箱であって、電柱に配置される概略図を示す。
【図１２】従来における接続構造の全体図であって、正面図を示す。
【図１３】従来における接続構造の全体図であって、（ａ）は図１２のＪ−Ｊ線における断面図、（ｂ）は（ａ）のＫ領域における拡大図を示す。
【符号の説明】
【００６３】
１…引込分岐端子箱、２…二次側電線、２ａ…（二次側電線の）一端部、３…二次側端子、４…収容部、５…押圧部、１１，２１，３１…電線端子部材、１００…柱上変圧器、１０１…一次側電線
【図１】
2009093815.tif 000003
【図２】
2009093815.tif 000004
【図３】
2009093815.tif 000005
【図４】
2009093815.tif 000006
【図５】
2009093815.tif 000007
【図６】
2009093815.tif 000008
【図７】
2009093815.tif 000009
【図８】
2009093815.tif 000010
【図９】
2009093815.tif 000011
【図１０】
2009093815.tif 000012
【図１１】
2009093815.tif 000013
【図１２】
2009093815.tif 000014
【図１３】
2009093815.tif 000015